(57)【要約】  ベース（２）に固定されるとともに、グリップ（１４）により締め付けられて１対のジョー（１０）（１２）に螺合されるねじ付垂直ピン（６）（８）を備える合鍵複製機のための改良されたクランプ装置であって、該クランプ装置は、ジョーの平坦な面上に配される緩衝部材（２２）を備え、該緩衝部材（２２）は、前記ジョーの通孔軸から前記平坦な面への距離を調整可能であるとともに、前記緩衝部材が接する前記ジョーの前記平坦な面が、前記ジョーの前記通孔軸と常に平行となるのを維持することを特徴とするクランプ装置。
2007509261.tif 000002
【特許請求の範囲】
【請求項１】
ベース（２）に固定されるとともに、グリップ（１４）により締め付けられて１対のジョー（１０）（１２）に螺合されるねじ付垂直ピン（６）（８）を備える合鍵複製機のための改良されたクランプ装置であって、該クランプ装置は、
ジョーの平坦な面上に配される緩衝部材（２２）を備え、該緩衝部材（２２）は、前記ジョーの通孔軸から前記平坦な面への距離を調整可能であるとともに、前記緩衝部材が接する前記ジョーの前記平坦な面が、前記ジョーの前記通孔軸と常に平行となるのを維持することを特徴とするクランプ装置。
【請求項２】
下部ジョー（１０）と前記緩衝部材（２２）とを載せた台座（１８）を備えることを特徴とする請求項１記載のクランプ装置。
【請求項３】
前記緩衝部材（２２）は、ジョーを挟んで鍵機械加工要素（４０）（４２）の反対側に配されることを特徴とする請求項１記載のクランプ装置。
【請求項４】
前記緩衝部材（２２）は、台座（１８）に固定されることを特徴とする請求項２記載のクランプ装置。
【請求項５】
前記緩衝部材（２２）は、１つの傾斜した面を有することを特徴とする請求項４記載のクランプ装置。
【請求項６】
前記緩衝部材（２２）を微調整するための手段（３０）、（３２）、（３４）を備えることを特徴とする請求項１記載のクランプ装置。
【請求項７】
前記緩衝部材（２２）がシート（２８）を備え、該シート（２８）はねじ付ピン（３２）の凸状ヘッド（３０）を収容するとともに、該ねじ付ピン（３２）は台座（１８）中に設けられた通孔（３４）に嵌入されることを特徴とする請求項２記載のクランプ装置。
【請求項８】
前記凸状ヘッド（３０）は、該凸状ヘッドから延出するマッシュルーム型部材（３６）を備え、該マッシュルーム型部材（３６）は前記緩衝部材に設けられたステップ（３８）に係合することを特徴とする請求項７記載のクランプ装置。
【発明の詳細な説明】
【技術分野】
【０００１】
本発明は合鍵複製機のクランプ装置に関する。
【背景技術】
【０００２】
一般的に合鍵複製機では、２個のクランプ装置が取付けられたベースを備える。２個のクランプ装置は被複製用親鍵を保持するベースと、被複製用親鍵ごとに異なるノッチング・パターンに倣って切断される被加工用キーブランクを備える。被加工用キーブランクと被複製用親鍵は、シャンク軸が平行になるように配される。
カッタの軸及び倣い部材の支持部は、クランプと向かい合う位置で複製機本体に取付けられる。
ピンはねじ部分を備え、各クランプの一対のジョーを完全に対向した状態で保持するためにベースに固定される。ジョーは方形面を備え、対向する一対の面は全く同一であるか、又は異なる形に縁取られ、ジョーに挟まれた鍵を多様な形状に形成することが出来る。この観点から、一対のジョーの対向する面はいずれか一方が平坦で、もう一方がジョーの間に挟まれる鍵にあるスリットと合致するリブを備える。
【０００３】
また従来より、下部ジョーとベースの間に提供される技術もみられる。ジョーを４つの定位置に正確な位置決めをするために、それぞれが９０°ずつ回転する。これによりジョーの４面を使用して、クランプされる鍵形のパターンを増やすことができる。
一対のジョーを締め付けるために設けられるグリップを用いて、（鍵が挿入される状態となる可能性もある）一つの動作でジョーをベース更に複製機本体に対して固定することができる。グリップは、ピンのねじ部分と螺合する。
クランプされる鍵のシャンクが倣い部材又はカッタの軸に対して垂直となるように、一般的に台座がベースに取付け固定され、クランプ部に固定した下部ジョーに対する支持部及び／又は緩衝要素となる。
【発明の開示】
【発明が解決しようとする課題】
【０００４】
下部ジョーの通孔の軸とジョーの各側面の間隔は、機械操作上の不具合により、厳格に一定とならない場合がある。このため、ピンに対する相対的なジョーの位置により、台座と接触する表面が、僅かに台座から離れるときもあれば、場合によっては（所定位置からピン／台座軸への距離よりも、下部ジャーの通孔と側面の間の距離が大きい場合）、ジョーを挿入するのが不可能となり得る。
【０００５】
この欠点を取り除くために、一般的に台座は、ねじ式ピンの軸から所定の距離でベースに取付け固定される。この距離は通孔軸とジョー側面の間の最短距離に一致する。ジョーの他の側面も切削されて、通孔軸への距離も等しくなるようにする。
しかし結果的には、クランプを完全に取り替える必要があるときに手間のかかる作業を繰り返さなければならない。
【発明の効果】
【０００６】
本発明の目的は、改良されたクランプ装置を提供することにより上記課題を克服することにある。これによりピンを軸にして回転中のジョーはどの位置でも、ジョーの表面が完全に垂直な位置をカッタ及び倣い部材軸に対して維持することが可能となる。
【課題を解決するための手段】
【０００７】
以下の説明により明らかとなる上記目的及び他の目的は、本発明の請求項１に記載の合鍵複製機のための改良されたクランプ装置により提供される。
請求項１記載の発明は、ベース（２）に固定されるとともに、グリップ（１４）により締め付けられて一対のジョー（１０）（１２）に螺合されるねじ付垂直ピン（６）（８）を備える合鍵複製機のための改良されたクランプ装置であって、該クランプ装置は、ジョーの平坦な面上に配される緩衝部材（２２）を備え、該緩衝部材（２２）は、前記ジョーの通孔軸から前記平坦な面への距離を調整可能であるとともに、前記緩衝部材が接する前記ジョーの前記平坦な面が、前記ジョーの前記通孔軸と常に平行となるのを維持することを特徴とするクランプ装置である。
【発明を実施するための最良の形態】
【０００８】
以下に図面を参照しながら、本発明の好適な実施形態について詳細に説明する。
図に示される如く、本発明による改良されたクランプ装置は、ベース（２）を備え、ベース（２）によりクランプ装置が複製機本体に固定される（図示せず）。
図示された例においては、２組の同一形状のクランプが親鍵ＣとキーブランクＣ´をクランプする様子が示される。以下、１組のクランプを参照しながら説明する。
【０００９】
ピン（６）は上部にねじ部（８）を備えるとともに、好ましくはねじ（４）によりベース（２）に固定される。
ピン（６）により、一対のクランプ・ジョー（１０）（１２）が完全に対向する状態が保持される。一対のクランプは方形面を備え、対向する一対の面は全く同一であるか、又は異なる形に縁取られ、ジョーに挟まれた鍵を多様な形状に形成することが出来る。より詳しくは、一対のジョーの対向する面はいずれか一方が平坦で、もう一方にジョーの間に挟まれる鍵にあるスリットと合致するリブを備える。
【００１０】
また従来より、下部ジョー（１０）とベース（２）の間に提供される技術もみられる。ジョーを４つの定位置に正確な位置決めをするために、それぞれが９０°ずつ回転する。これによりジョーの４面を使用して、クランプされる鍵形のパターンを増やすことができる。
【００１１】
一対のジョーを締め付けるために設けられるグリップ（１４）を用い、一対のジョーの間に配される圧縮バネ（１６）を抗して、一つの動作でジョーをベース更に複製機本体に対して固定することができる。一対のジョーは鍵が挿入される状態で、グリップにより締め付けられる可能性もある。グリップは、ピンのねじ部分と螺合する。
【００１２】
緩衝要素（２２）は、下部ジョー（１０）の側面に向く面（２４）を備えるとともに、該面（２４）は、上面（２６）に対して鋭角を形成するように若干傾斜している。前記緩衝要素（２２）はピン（２０）により台座（１８）にヒンジ付けされ、下部ジョー（１０）の支持部を形成する。
前記緩衝要素（２２）は、ねじ付ピン（３２）の凸状ヘッド（３０）を収容するシート（２８）を備える。ねじ付ピン（３２）は台座（１８）に設けられた通孔（３４）に螺合される。凸状ヘッド（３０）から上方に延出するマッシュルーム型付属品（３６）を備え、該付属品（３６）の端部は緩衝要素上に設けられたステップ（３８）上に配される。
【００１３】
クランプは次の方法で動作する。第一に凸状ヘッド（３０）を、ピン（３２）が通孔（３４）に螺合する方向に回転させる。この動作の結果、ステップ（３８）に係合したマッシュルーム型付属品（３６）は、（図面に向かって時計回りに）緩衝要素（２２）を回転させ、面（２４）を下部ジョー（１０）の側面から遠ざける。その後グリップ（１４）を緩めてピン（６）から取外し、上下のジョー（１２）（１０）を一旦取外した後、機械加工される特定の形状の鍵に縁取られるリブ及びスリットが、カッタ（４０）及び倣い部材（４２）に対向させるように、ジョー（１２）（１０）にピン（６）を再度貫通させる。
その後被加工用キーブランク（Ｃ´）及び被複製用親鍵（Ｃ）を、上下一対のジョー（１２）（１０）の間に挟み込み、グリップ（１４）をピン（６）のねじ部（８）と螺合させ、鍵がジョーから外れないようにする。
【００１４】
上記に説明した如く、本発明による改良されたクランプ装置により、多くの有用な点がもたらされるが、とりわけ以下のような点が挙げられる。
１  クランプ表面と通孔軸の間の距離を変更可能なクランプの可動性を備える。
２  距離の変更を簡便に調節できる。
３  略全てのタイプの商業的に利用可能なクランプ装置に適用可能である。
【図面の簡単な説明】
【００１５】
【図１】本発明による改良されたクランプ装置の平面図である。
【図２】II−II線上の断面図である。
【図１】
2007509261.tif 000003
【図２】
2007509261.tif 000004
【手続補正書】
【提出日】平成17年11月9日(2005.11.9)
【手続補正１】
【補正対象書類名】特許請求の範囲
【補正対象項目名】全文
【補正方法】変更
【補正の内容】
【特許請求の範囲】
【請求項１】
ベース（２）に固定されるとともに、グリップ（１４）により締め付けられて１対のジョー（１０）（１２）に螺合されるねじ付垂直ピン（６）（８）を備える合鍵複製機のための改良されたクランプ装置であって、該クランプ装置は、
前記１対のジョーが、４つの定位置に正確な位置決めをするために、互いに９０°ずつ回転可能で、
緩衝部材（２２）を備え、前記緩衝部材（２２）は前記ジョーを挟んで鍵機械加工要素（４０）（４２）の反対側に配されるとともに、
少なくとも１つのエッジ（２４）を備え、該エッジ（２４）は前記対向するジョーのうち一方のジョーの平坦な面に接するとともに、該エッジ（２４）と前記ジョーの通孔軸の間の距離を調整可能で、前記緩衝部材が接する前記ジョーの前記平坦な面が、前記ジョーの前記通孔軸と常に平行となるのを維持することを特徴とするクランプ装置。
【請求項２】
下部ジョー（１０）と前記緩衝部材（２２）とを載せた台座（１８）を備えることを特徴とする請求項１記載のクランプ装置。
【請求項３】
前記緩衝部材（２２）は、台座（１８）に固定されることを特徴とする請求項２記載のクランプ装置。
【請求項４】
前記緩衝部材（２２）は、１つの傾斜した面を有することを特徴とする請求項４記載のクランプ装置。
【請求項５】
前記緩衝部材（２２）を微調整するための手段（３０）、（３２）、（３４）を備えることを特徴とする請求項１記載のクランプ装置。
【請求項６】
前記緩衝部材（２２）がシート（２８）を備え、該シート（２８）はねじ付ピン（３２）の凸状ヘッド（３０）を収容するとともに、該ねじ付ピン（３２）は台座（１８）中に設けられた通孔（３４）に嵌入されることを特徴とする請求項２記載のクランプ装置。
【請求項７】
前記凸状ヘッド（３０）は、該凸状ヘッドから延出するマッシュルーム型部材（３６）を備え、該マッシュルーム型部材（３６）は前記緩衝部材に設けられたステップ（３８）に係合することを特徴とする請求項７記載のクランプ装置。
【手続補正２】
【補正対象書類名】明細書
【補正対象項目名】全文
【補正方法】変更
【補正の内容】
【書類名】  明細書
【発明の名称】  合鍵複製機のクランプ装置
【技術分野】
【０００１】
本発明は、合鍵複製機のクランプ装置に関し、特許請求の範囲中請求項１に記載するものである。この請求項の例は米国特許第２００２／０１８２０２２Ａ１号に開示されている。
【背景技術】
【０００２】
一般的に合鍵複製機では、２個のクランプ装置が取付けられたベースを備える。２個のクランプ装置は被複製用親鍵を保持するベースと、被複製用親鍵ごとに異なるノッチング・パターンに倣って切断される被加工用キーブランクを備える。被加工用キーブランクと被複製用親鍵は、シャンク軸が平行になるように配される。
カッタの軸及び倣い部材の支持部は、クランプと向かい合う位置で複製機本体に取付けられる。
ピンはねじ部分を備え、各クランプの一対のジョーを完全に対向した状態で保持するためにベースに固定される。ジョーは方形面を備え、対向する一対の面は全く同一であるか、又は異なる形に縁取られ、ジョーに挟まれた鍵を多様な形状に形成することが出来る。この観点から、一対のジョーの対向する面はいずれか一方が平坦で、もう一方がジョーの間に挟まれる鍵にあるスリットと合致するリブを備える。
【０００３】
また従来より、下部ジョーとベースの間に提供される技術もみられる。ジョーを４つの定位置に正確な位置決めをするために、それぞれが９０°ずつ回転する。これによりジョーの４面を使用して、クランプされる鍵形のパターンを増やすことができる。
一対のジョーを締め付けるために設けられるグリップを用いて、（鍵が挿入される状態となる可能性もある）一つの動作でジョーをベース更に複製機本体に対して固定することができる。グリップは、ピンのねじ部分と螺合する。
クランプされる鍵のシャンクが倣い部材又はカッタの軸に対して垂直となるように、一般的に要素がベースに取付け固定され、クランプ部に固定した下部ジョーに対する支持部及び／又は緩衝要素となる。
【発明が解決しようとする課題】
【０００４】
下部ジョーの通孔の軸とジョーの各側面の間隔は、機械操作上の不具合により、厳格に一定とならない場合がある。このため、緩衝要素と接触する側面が、特定のジョーの位置では僅かに緩衝要素から離れるときもあれば、場合によっては（所定位置からピン軸への距離よりも、下部ジャーの通孔と側面の間の距離が大きい場合）、ジョーを配するのが不可能となり得る。
【０００５】
この欠点を取り除くために、一般的に緩衝要素は、ねじ式ピンの軸から所定の距離でベースに取付け固定される。この距離は通孔軸とジョーの側面の間の最短距離に一致する。ジョーの他の側面も切削されて、通孔軸への距離も等しくなるようにする。
しかし結果的には、クランプを完全に取り替える必要があるときに手間のかかる作業を繰り返さなければならない。
【発明の効果】
【０００６】
本発明の目的は、クランプ装置を提供することにより上記課題を克服することにある。これによりピンを軸にして回転中のジョーはどの位置でも、ジョーの側面が完全に垂直な位置をカッタ及び倣い部材軸に対して維持することが可能となる。
【課題を解決するための手段】
【０００７】
以下の説明により明らかとなる上記目的及び他の目的は、本発明の請求項１に記載の合鍵複製機のためのクランプ装置により提供される。
請求項１記載の発明は、ベース（２）に固定されるとともに、グリップ（１４）により締め付けられて一対のジョー（１０）（１２）に螺合されるねじ付垂直ピン（６）（８）を備える合鍵複製機のための改良されたクランプ装置であって、該クランプ装置は、ジョーの平坦な面上に配される緩衝部材（２２）を備え、該緩衝部材（２２）は、前記ジョーの通孔軸から前記平坦な面への距離を調整可能であるとともに、前記緩衝部材が接する前記ジョーの前記平坦な面が、前記ジョーの前記通孔軸と常に平行となるのを維持することを特徴とするクランプ装置である。
【発明を実施するための最良の形態】
【０００８】
以下に図面を参照しながら、本発明の好適な実施形態について詳細に説明する。
図に示される如く、本発明による改良されたクランプ装置は、ベース（２）を備え、ベース（２）によりクランプ装置が複製機本体に固定される（図示せず）。
図示された例においては、２組の同一形状のクランプが親鍵ＣとキーブランクＣ´をクランプする様子が示される。以下、１組のクランプを参照しながら説明する。
【０００９】
ピン（６）は上部にねじ部（８）を備えるとともに、好ましくはねじ（４）によりベース（２）に固定される。
ピン（６）により、一対のクランプ・ジョー（１０）（１２）が完全に対向する状態が保持される。一対のクランプは方形面を備え、対向する一対の面は全く同一であるか、又は異なる形に縁取られ、ジョーに挟まれた鍵を多様な形状に形成することが出来る。より詳しくは、一対のジョーの対向する面はいずれか一方が平坦で、もう一方にジョーの間に挟まれる鍵にあるスリットと合致するリブを備える。
【００１０】
また従来より、下部ジョー（１０）とベース（２）の間に提供される技術もみられる。ジョーを４つの定位置に正確な位置決めをするために、それぞれが９０°ずつ回転する。これによりジョーの４面を使用して、クランプされる鍵形のパターンを増やすことができる。
【００１１】
一対のジョーを締め付けるために設けられるグリップ（１４）を用い、一対のジョーの間に配される圧縮バネ（１６）を抗して、一つの動作でジョーをベース更に複製機本体に対して固定することができる。一対のジョーは鍵が挿入される状態で、グリップにより締め付けられる可能性もある。グリップは、ピンのねじ部分と螺合する。
【００１２】
緩衝要素（２２）は、下部ジョー（１０）の側面に向く面（２４）を備えるとともに、該面（２４）は、緩衝要素（２２）の上面（２６）に対して鋭角を形成するように若干傾斜している。前記緩衝要素（２２）はピン（２０）により台座（１８）にヒンジ付けされ、下部ジョー（１０）の支持部を形成する。
前記緩衝要素（２２）は、ねじ付ピン（３２）の凸状ヘッド（３０）を収容するシート（２８）を備える。ねじ付ピン（３２）は台座（１８）に設けられた通孔（３４）に螺合される。凸状ヘッド（３０）から上方に延出するマッシュルーム型付属品（３６）を備え、該付属品（３６）の端部は緩衝要素上に設けられたステップ（３８）上に配される。
【００１３】
クランプは次の方法で動作する。第一に凸状ヘッド（３０）を、ピン（３２）が通孔（３４）に螺合する方向に回転させる。この動作の結果、ステップ（３８）に係合したマッシュルーム型付属品（３６）は、（図面に向かって時計回りに）緩衝要素（２２）を回転させ、面（２４）を下部ジョー（１０）の側面から遠ざける。その後グリップ（１４）を緩めてピン（６）から取外し、上下のジョー（１２）（１０）を一旦取外した後、機械加工される特定の形状の鍵に縁取られるリブ及びスリットが、カッタ（４０）及び倣い部材（４２）に対向させるように、ジョー（１２）（１０）にピン（６）を再度貫通させる。
その後被加工用キーブランク（Ｃ´）及び被複製用親鍵（Ｃ）を、上下一対のジョー（１２）（１０）の間に挟み込み、グリップ（１４）をピン（６）のねじ部（８）と螺合させ、鍵がジョーから外れないようにする。
【００１４】
上記に説明した如く、本発明によるクランプ装置により、多くの有用な点がもたらされるが、とりわけ以下のような点が挙げられる。
１  クランプ表面と通孔軸の間の距離を変更可能なクランプの可動性を備える。
２  距離の変更を簡便に調節できる。
３  略全てのタイプの商業的に利用可能なクランプ装置に適用可能である。
【図面の簡単な説明】
【００１５】
【図１】      本発明による改良されたクランプ装置の平面図である。
【図２】      II−II線上の断面図である。
【国際調査報告】
2007509261.tif 000005
2007509261.tif 000006